(57)【要約】【課題】簡単な構成で高品質の画像形成を可能とする。【解決手段】画像形成装置１０では、印刷データを生成する画像処理回路３２が設けられた書込み信号生成部１４に、レーザ駆動回路３４と共にビーム光源部３６を設け、光走査部２０が設けられる画像書込み部１６に光導波素子４２が設けられる。また、ビーム光源部の発光素子３８が発する光ビームのそれぞれが、光遅延回路５２の光ファイバー４０を介して光導波素子へ案内され、光導波素子に形成された光射出口のそれぞれから射出され、光走査部２０で主走査方向へ偏向される。また、光導波素子には、主走査方向に複数列の光射出口が形成されており、光遅延回路では、光ファイバーの光路長Ｌを列ごとに設定し、主走査方向の上流側の光射出口からの光ビームの射出が遅延され、下流側の列の光射出口からの光ビームの射出に合わせられるようにしている。【選択図】図１
2010211009.tif 000002
【特許請求の範囲】
【請求項１】
複数の発光素子のそれぞれが光ビームを発するビーム光源と、
前記発光素子ごとの駆動信号に基づいて前記ビーム光源の発光素子を駆動する駆動手段と、
射出面に光ビームの射出口が千鳥状に配置されて形成された射出ヘッドと、
前記ビーム光源の前記発光素子と前記射出ヘッドの前記射出口を光学的に接続して前記光ビームを射出口へ案内する光導波路と、
前記光導波路に沿って案内されて前記射出ヘッドの前記射出口のそれぞれから射出される前記光ビームを感光体上の主走査方向へ走査しながら照射する走査手段と、
前記感光体上に照射される前記光ビームの主走査方向に沿った位置が重なるように一方の光ビームの光路長を他方の光ビームの光路長より長くなるように前記光導波路の長さを設定して形成した光遅延手段と、
を含む光走査装置。
【請求項２】
前記光射出口が前記感光体上の副走査方向に沿う前記射出口が列として、主走査方向が複数列となるように形成され、
前記光遅延手段が、前記列単位で前記光路長が設定されている、請求項１に記載の光走査装置。
【請求項３】
前記発光素子のそれぞれを駆動する前記駆動信号を生成する信号生成手段を含む信号生成部を有し、前記駆動手段及び前記ビーム光源が前記信号生成部に設けられている、請求項１又は請求項２に記載の光走査装置。
【請求項４】
前記駆動手段に入力される前記発光素子ごとの前記駆動信号が、発光素子ごとに遅延が設定される遅延手段と、含む請求項１から請求項３の何れか１項に記載の光走査装置。
【請求項５】
前記請求項１から請求項４の何れか１項に記載の光走査装置と、
画像データを受け付ける受付け手段と、
を含み、前記画像データに応じた潜像を前記感光体に形成し、該潜像に基づいた画像を画像形成媒体に形成する画像形成装置。
【発明の詳細な説明】
【技術分野】
【０００１】
本発明は、光走査装置及び画像成形装置に関する。
【背景技術】
【０００２】
デジタル複写機、レーザープリンタなどにおいて画像形成装置を構成するメインコントローラ、書込み信号生成部、画像書込み部などのハードウェアは、筐体サイズの制限を受けるために、それぞれが独立して配置され、各ハードウェアの間は、電気ケーブルによって接続されている。この電気ケーブルがアンテナとして機能してしまうと、電磁ノイズを取り込んでしまうことがある。高速化を図るためのデジタル信号の低電圧化が進むことにより、電磁ノイズの影響を受け易くなり、書込み信号生成部と画像書込み部の間は、特に、電磁ノイズの影響を受け易い。
【０００３】
ここから、書込み信号生成部と画像書込み部との間を、光ファイバーケーブルで接続する提案がなされている。（例えば、特許文献１、特許文献２参照。）。
【０００４】
一方、画像形成の高速化、高品質化を図る方法として、複数条のレーザービームを同時に走査するときに、複数の光導波路の出力口を狭い間隔で直線状に配置し、それぞれの光導波路の入力口に光ファイバーを接続する提案がなされている（例えば、特許文献３参照。）。
【０００５】
ところで、画像形成の高速化及び高品質化を図る方法としては、ＶＣＳＥＬ（垂直共振面発光レーザ）を用いて複数列分の光ビームを並行して走査する方法がある。このときには、列補正を行うための複雑な構成の列補正回路を用いて、列単位で発光タイミングを補正するようにしている。
【先行技術文献】
【特許文献】
【０００６】
【特許文献１】特開２００２−１７８５５７号公報
【特許文献２】特開２００１−１３３７１２号公報
【特許文献３】特開２０００−１５３６３５号公報
【発明の概要】
【発明が解決しようとする課題】
【０００７】
本発明は上記事実に鑑みてなされたものであり、簡単な構成で複数列の光ビームを用いた画像形成を可能とする光走査装置及び画像形成装置を提供することを目的とする。
【課題を解決するための手段】
【０００８】
上記目的を達成する請求項１の光走査装置は、複数の発光素子のそれぞれが光ビームを発するビーム光源と、前記発光素子ごとの駆動信号に基づいて前記ビーム光源の発光素子を駆動する駆動手段と、射出面に光ビームの射出口が千鳥状に配置されて形成された射出ヘッドと、前記ビーム光源の前記発光素子と前記射出ヘッドの前記射出口を光学的に接続して前記光ビームを射出口へ案内する光導波路と、前記光導波路に沿って案内されて前記射出ヘッドの前記射出口のそれぞれから射出される前記光ビームを感光体上の主走査方向へ走査しながら照射する走査手段と、前記感光体上に照射される前記光ビームの主走査方向に沿った位置が重なるように一方の光ビームの光路長を他方の光ビームの光路長より長くなるように前記光導波路の長さを設定して形成した光遅延手段と、を含む。
【０００９】
また、請求項２の光走査装置は、請求項１において、前記光射出口が前記感光体上の副走査方向に沿う前記射出口が列として、主走査方向が複数列となるように形成され、前記光遅延手段が、前記列単位で前記光路長が設定されている。
【００１０】
請求項３の光走査装置は、請求項１又は請求項２の光走査装置において、前記発光素子のそれぞれを駆動する前記駆動信号を生成する信号生成手段を含む信号生成部を有し、前記駆動手段及び前記ビーム光源が前記信号生成部に設けられている。
【００１１】
請求項４の光走査装置は、請求項１から請求項３の何れか１項に記載の光走査装置において、前記駆動手段に入力される前記発光素子ごとの前記駆動信号が、発光素子ごとに遅延が設定される遅延手段と、含む。
【００１２】
また、本発明の画像形成装置は、請求項１から請求項４の何れか１項に記載の光走査装置と、画像データを受け付ける受付け手段と、を含み、前記画像データに応じた潜像を前記感光体に形成し、該潜像に基づいた画像を画像形成媒体に形成する。
【発明の効果】
【００１３】
以上説明したように本発明の請求項１及び請求項２の発明によれば、光ビームの光路長を換える簡単な構成で主走査方向に沿った光ビームの照射タイミングを適切に補正することができる。
【００１４】
また、請求項３の発明によれば、光遅延手段を設けることにより、ビーム光源部を走査手段から離して設けることができるので、高品質の画像形成が可能となる。
【００１５】
さらに、請求項４の発明によれば、光ビームごとに射出タイミングを補正することができるので、画素ずれの生じない高品質の画像形成が可能となる。
【図面の簡単な説明】
【００１６】
【図１】本実施の形態に係る画像形成装置の要部のブロック図である。
【図２】光走査部の要部を示す斜視図である。
【図３】光導波素子と光ファイバーを示す要部の構成図である。
【図４】（Ａ）は本実施の形態に適用した遅延回路、（Ｂ）は（Ａ）の遅延回路でのスイッチング信号に応じた遅延量を示す図表である。
【発明を実施するための形態】
【００１７】
以下に、図面を参照しながら本発明の実施の形態を説明する。図１には、本実施の形態に係る画像形成装置１０の要部が示されている。この画像形成装置１０としては、プリンタ機能、複写機能、ファクシミリ機能、あるいはこれらのうちの複数の機能を併せ持つ構成など、電子写真プロセスによって記録媒体に画像を形成する任意の構成を適用することができる。
【００１８】
この画像形成装置１０は、メインコントローラ１２、書込み信号生成部１４及び画像書込み部１６を含んでいる。メインコントローラ１２は、画像データが入力されると、この画像データを受付け、画像形成装置１０の作動を制御しながら、画像データに基づいた画像を形成する。
【００１９】
図１及び図２に示されるように、画像書込み部１６には、光ビームを射出する射出ヘッド１８及び、射出ヘッド１８から射出される光ビームを走査する光走査部２０が設けられている。図２に示されるように、画像形成装置１０では、感光体として感光ドラム２２が用いられており、光走査部２０は、この感光ドラム２２へ光ビームを走査しながら照射する。なお、ここでは、矢印Ｈ方向を主走査方向とし、感光ドラム２２の回転を副走査移動として矢印Ｖ方向を副走査方向として説明する。
【００２０】
射出ヘッド１８は、複数条の光ビームを射出する。また、光走査部２０には、走査光学系として、副走査方向にパワーを持つコリメータレンズ２４、副走査方向に光ビームを絞り込むシリンドリカルレンズ２６、回転多面鏡（ポリゴンミラー）２８、ｆθレンズ３０を含んでいる。射出ヘッド１８から射出された光ビームは、コリメータレンズ２４によって平行光とされた後、シリンドリカルレンズ２６によって絞りこまれて、回転多面鏡２８の反射面へ照射される。
【００２１】
回転多面鏡２８は、図示しない駆動手段の駆動力によって所定の回転速度で回転され、光ビームは、この回転多面鏡２８の反射面で反射されることにより主走査方向へ偏向され、ｆθレンズ３０によって感光ドラム２２の周面に照射される。これにより、感光ドラム２２は、個々の光ビームがスポット状に結像されて潜像（静電潜像）が形成される。
【００２２】
画像形成装置１０では、この感光ドラム２２に形成される潜像をトナー現像することにより可視像を生成し、生成した可視像を記録紙などの画像形成媒体（図示省略）へ転写することにより、画像形成媒体に画像を形成する。なお、光ビームの走査及び画像形成媒体への画像形成は、一般的構成を適用することができる。
【００２３】
図１に示されるように、書込み信号生成部１４は、ＡＳＩＣなどを用いて形成された画像処理回路３２を備えている。この画像処理回路３２では、画像データに対して所定の画像処理を施し、画像データに応じたラスタデータなどの印刷データを生成する（以下、ラスタデータとする）。このときに、画像処理回路３２では、例えば、画像データがカラー画像であるときにＣＭＹＫの各色成分に分版し、それぞれの色成分のラスタデータを生成する。なお、ここでは、説明を簡略化するために色を区別せずに１色分の画像を生成するものとして説明する。
【００２４】
一方、画像形成装置１０では、書込み信号生成部１４に、レーザ駆動回路３４及びレーザ光源部３６を設けている。レーザ光源部３６は、複数のレーザＬＥＤなどの発光素子３８を備え、複数条のレーザービームを並行して発する。
【００２５】
レーザ駆動回路３４には、画像処理回路３２で生成された印刷データに基づいて、レーザ光源部３６に設けられている発光素子３８のそれぞれを個別に駆動する。これにより、ビーム光源部３６では、印刷データに基づいて光ビームが発せられる。
【００２６】
また、画像形成装置１０では、書込み信号生成部１４と画像書込み部１６とが、多数条の光ファイバー４０によって連結されている。光ファイバー４０のそれぞれは、一端が書込み信号生成部１４のビーム光源部３６の各発光素子３８に対向され、それぞれの発光素子３８が発する光ビームが入射される。
【００２７】
図２及び図３に示されるように、画像形成装置１０に用いている射出ヘッド１８は、光導波素子４２を備えている。この光導波素子４２は、基板４４の一方の面に、多数の光射出口４６が千鳥状に形成されている。
【００２８】
また、図３に示されるように、基板４４には、射出口４６のそれぞれに対応して周縁部に光入射口４８が形成され、対となる光射出口４６と光入射口４８とが、基板４４の内部に形成された光導波路５０によって連通されている。
【００２９】
画像書込み部１６では、光ファイバー４０の他端が、基板４４の光入射口４８に連結されている。また、基板４４には、光射出口４６のそれぞれの内部に反射ミラー（図示省略）が配置されている。
【００３０】
レーザ光源部３６で発せられる光ビームは、光ファイバー４０によって射出ヘッド１８の光導波素子４２に案内され、光導波素子４２の基板４４に入射される。また、基板４４に入射された光ビームは、光導波路５０によって基板４４の表面に沿って光射出口４６へ案内され、図示しない反射ミラーによって反射されることにより、基板４４の表面から射出される。
【００３１】
これにより、画像書込み部１６では、基板４４の表面と交差する方向に沿って多数条の光ビームを射出する面状光源が形成されている（図２参照）。
【００３２】
ところで、図３に示されるように、光導波素子４２には、主走査方向に沿って複数列分（Ｎ列分）の光射出口４６が設けられている。また、光射出口４６は、それぞれの列で副走査方向に沿って複数行分（Ｍ行分）ずつ設けられている。このときに、光射出口４６は、副走査方向にずらされて設けられている。
【００３３】
これにより、光導波素子４２には、Ｍ×Ｎ（Ｍ行Ｎ列）の光射出口４６が形成され、Ｍ×Ｎ画素分の光ビームを並行して射出可能となっている。また、図１に示されるように、レーザ光源部３６には、光ファイバー４０Ａ１〜４０Ａ８、４０Ｂ１〜４０Ｂ８、４０Ｃ１〜４０Ｃ８、４０Ｄ１〜４０Ｄ８に対応して、画素ごとに発光素子３８Ａ１〜３８Ａ８、３８Ｂ１〜３８Ｂ８、３８Ｃ１〜３８Ｃ８、３８Ｄ１〜３８Ｄ８が設けられている。
【００３４】
画像形成装置１０では、この光導波素子４２を用いて、副走査方向に沿ってＭ×Ｎ画像分の光ビームを射出しながら主走査を行うことができる。
【００３５】
なお、本実施の形態では、一例としてＭ＝８、Ｎ＝４として、３２画素分の光ビームを並行して射出可能となるようにしている。また、光射出口４６を列ごとに区別するときには、１列目を４６Ａ（４６Ａ１〜４６Ａ８）、２列目を４６Ｂ（４６Ｂ１〜４６Ｂ８）、３列目を４６Ｃ（４６Ｃ１〜４６Ｃ８）、４列目を４６Ｄ（４６Ｄ１〜４６Ｄ８）として説明する。
【００３６】
一方、図１及び図３に示されるように、画像形成装置１０では、光ファイバー４０によってビーム光源部３６と光導波素子４２との間に光遅延回路５２を形成している。この光遅延回路５２では、同じ列の光射出口４６に対しては、光ファイバー４０の長さ、すなわち光ビームの光路長Ｌを同じにしているが、異なる列の光ファイバー４０の間では、光路長Ｌが異なるようにしている。
【００３７】
なお、以下では、１列目の光射出口４６Ａ（４６Ａ１〜４６Ａ８）に対応する光ファイバー４０の光ファイバー４０Ａ（４０Ａ１〜４０Ａ８）、光射出口４６Ｂ（４６Ｂ１〜４６Ｂ８）、４６Ｃ（４６Ｃ１〜４６Ｃ８）、４６Ｄ（４６Ｄ１〜４６Ｄ８）のそれぞれに対応する光ファイバー４０を光ファイバー４０Ｂ（４０Ｂ１〜４０Ｂ８）、４０Ｃ（４０Ｃ１〜４０Ｃ８）、４０Ｄ（４０Ｄ１〜４０Ｄ８）として説明する。
【００３８】
また、列ごとの光路長Ｌは、隣接する列との間の光路長の差（光路長差）ΔＬとしたときに、この光路長差ΔＬを規定することにより設定している。すなわち、１列目の光ファイバー４０Ａの光路長Ｌ１と、２列目の光ファイバー４０Ｂの光路長Ｌ２の間では、以下のように設定している。
【００３９】
Ｌ２＝Ｌ１＋ΔＬ
すなわち、
Ｌｋ＝Ｌｋ−１＋ΔＬ    （ただし、ｋ＝２、３、４）
として設定している。主走査方向に沿ったドット間隔Ｄが一定であるので、１列目と２列目の光路長差ΔＬ１２、２列目と３列目の光路長差ΔＬ２３、３列目と４列目の光路長差ΔＬ３４は同じとしている（ΔＬ１２＝ΔＬ２３＝Δ３４＝ΔＬ）。
【００４０】
ここで、光路長差ΔＬは、１条の光ビームで１ドット（１画素）を形成するときに、感光ドラム２２上（画像形成媒体上）での主走査方向に沿ったドット間の間隔となるドット数Ｄ、画像データのクロック周波数Ｃ（Ｈｚ、１／sec）に基づいて設定されている。
【００４１】
具体的には、
ΔＬ＝ｃ×ΔＴ／ｎ
ここで、ｃは光速（ｍ／sec）、ｎは光ファイバ４０での光の屈折率、ΔＴはドット間の周期（sec）としており、クロック周波数Ｃであるときの１クロック分の周期を周期Δｔ（sec）としたときに、ΔＴ＝Δｔ×Ｄとしている。なお、光ファイバー４０Ａ〜４０Ｄの長さは、基板４４の光導波路５０の光路長を含めて、所定の光路長Ｌ１〜Ｌ４が得られる長さに設定することがより好ましい。
【００４２】
一方、図１に示されるように、書込み信号生成部１４には、個別補正用の個別遅延回路５４が設けられている。この個別遅延回路５４は、ビーム光源部３６の発光素子３８ごとに設けられて、発光素子３８ごとに発光タイミングを補正する。
【００４３】
図４（Ａ）は、個別遅延回路５４に設ける遅延回路５６の一例が示されているが示されている。この遅延回路５６では、１個のフリップ−フロップ素子（Ｆ−Ｆ素子５８）とスイッチ素子６０（スイッチング素子６０Ａ）によって１段目の遅延回路５６Ａが形成され、２個のＦ−Ｆ素子５８とスイッチ素子６０（スイッチング素子６０Ｂ）とによって２段目の遅延回路５６Ｂが形成され、さらに、４個のＦ−Ｆ素子５８とスイッチ素子６０（スイッチ素子６０Ｃ）とによって３段目の遅延回路５６Ｃが形成されている。
【００４４】
Ｆ−Ｆ素子５８のそれぞれは、クロック信号が入力されることによりオン／オフを切替える。スイッチ素子６０（６０Ａ〜６０Ｃ）は、スイッチング信号Ｓ（Ｓ１〜Ｓ３）に応じて出力を切替える。このときに、スイッチ素子６０は、例えば、スイッチング信号Ｓから「０」が選択されると、Ｆ−Ｆ素子５８を通過しない信号を出力し、スイッチング信号Ｓから「１」が選択されると、Ｆ−Ｆ素子５８を通過した信号を出力する。
【００４５】
ここで、図４（Ｂ）には、遅延回路５６におけるスイッチ素子６０Ａのスイッチング信号Ｓ１、スイッチ素子６０Ｂのスイッチング信号Ｓ２及びスイッチ素子６０Ｃのスイッチング信号Ｓ３に応じた、出力信号の遅延タイミングとする遅延量を示している。なお、図４（Ｂ）で遅延量は、発光素子３８ごとの印刷データが遅延回路５６に入力されてから、遅延回路５６から出力されるまでの遅延クロック数を示している。
【００４６】
このときに、例えば、スイッチング信号Ｓ１が「１」、スイッチング信号Ｓ２が「０」、スイッチング信号Ｓ３が「１」であると、５周期（５クロック）分だけ送れて印刷データが出力される。
【００４７】
このスイッチング信号Ｓ１〜Ｓ３は、光導波素子４２の光射出口４６のそれぞれに対応するビーム光源部３６の発光素子３８ごとに設定されている。
【００４８】
このように構成されている画像形成装置１０では、メインコントローラ１２で画像形成処理を行う画像データを受付けると、この画像データが書込み信号生成部１４に入力される。書込み信号生成部１４では、画像データが入力されると画像処理回路３２で所定の画像処理を行う印刷データとするラスタデータを生成する。
【００４９】
画像処理回路３２で生成された印刷データは、個別遅延回路５４を経て、レーザ駆動回路３４に入力される。レーザ駆動回路３４は入力された印刷データに基づいて、ビーム光源部３６の各発光素子３８を駆動する駆動信号（駆動電流）を出力する。これにより、ビーム光源部３６では、各発光素子３８が印刷データに基づいて発光して光ビームを発する。
【００５０】
この光ビームは、発光素子３８ごとに設けられている光ファイバー４０に入射され、この光ファイバー４０によって画像書込み部１６の光導波素子４２へ案内され、光導波素子４２の各光射出口４６から射出される。
【００５１】
また、画像書込み部１６では、感光ドラム２２及び回転多面鏡２８を所定の回転速度で回転する。これにより、光導波素子４２から射出される光ビームは、感光ドラム２２上に走査されながら照射される。これにより、感光ドラム２２の周面に形成される潜像に応じた画像形成が行われる。
【００５２】
ところで、光導波素子４２には、主走査方向に沿って複数列の光射出口４６Ａ〜４６Ｄが形成されており、光射出口４６Ａ〜４６Ｄの間で光が射出されるタイミングをずらさないと、感光ドラム２２上で光ビームによって形成されるドットの間（主走査方向に沿って隣接するドットの間）で、主走査方向に沿ってドット間隔Ｄのずれが生じる。
【００５３】
このときに、光射出口４６Ａ〜４６Ｄの光ファイバー４０Ａ〜４０Ｄの間で、光路長差ΔＬを設定し、隣接する列ごとの光ファイバー４０の間で、光路長差ΔＬが得られるように光路長Ｌを設定している。
【００５４】
これにより、画像書込み部１６では、光導波素子４２の光射出口４６Ａ〜４６Ｄの間で、主走査方向の上流側に隣接する列の光射出口４６からの光ビームの射出タイミングが下流側に隣接する光射出口４６よりも遅れる。すなわち、光射出口４６Ａと光射出口４６Ｂの間では、光射出口４６Ｂから光ビームが射出されるタイミングが、光射出口４６Ａから射出されるタイミングよりも遅れる。
【００５５】
光遅延回路５２では、この遅れがドット間隔Ｄに相当する遅れとなるように光路長Ｌ１〜Ｌ４が設定されている。これにより、画像形成装置１０では、ビーム光源部３６の各発光素子３８の発光タイミングを主走査方向に沿った列ごとに制御することなく、感光ドラム２２上への光ビームの照射タイミングを合わせることができる。
【００５６】
このような主走査方向に沿った光ビームの照射タイミングの制御は、電子回路を用いて形成することも可能であるが、光ファイバー４０の光路長Ｌを設定し、ビーム光源部３６から発せられた光ビームが、光導波素子４２の光射出口４６に達するタイミングをずらす構成とすることにより、簡単にかつ低コストで行うことができる。
【００５７】
また、画像形成装置１０では、ビーム光源部３６と光導波素子４２との間に光遅延回路を設けることにより、ビーム光源部３６を、光走査部２０が設けられた画像書込み部１６ではなく、レーザ駆動回路３４と共に、書込み信号生成部１４に設けることができるので、電気信号を伝送する電気ケーブルを長くする必要がなくなるので、電気雑音が重畳されてしまうことがなく、より高品質な画像形成が可能となる。
【００５８】
さらに、書込み信号生成部１４には、光射出口４６のそれぞれに対応するように発光素子３８ごとに遅延回路５６が設けられており、光射出口４６ごとに光ビームの射出タイミング、すなわち、ビーム光源部３６の発光素子３８ごとに発光タイミングを調整することができる。
【００５９】
これにより、例えば、光導波素子４２上での光射出口４６のずれ、光導波素子４２又は光導波素子４２が設けられる射出ヘッド１８に取り付け誤差が生じても、光ビームが感光ドラム２２に照射される主走査方向に沿った位置を適正に揃えることができる。
【００６０】
なお、本実施の形態では、光ファイバー４０を用いて光遅延回路５２を形成したが、光遅延回路はこれに限らず、例えば、基板上に所定長さ又は長さの異なる光導波路を形成した構成など、所望の光路長の光導波路を形成されるものであれば任意の構成を適用することができる。
【００６１】
また、本実施の形態では、基板４４にＭ行Ｎ列で光射出口４６が形成された光導波素子４２を用いたが、表面に千鳥状に形成された光射出口から光ファイバー４０などの光導波路を介して入力される光ビームを射出する任意の構成の面状光源を適用することができる。
【００６２】
さらに、本実施の形態では、Ｍ行Ｎ列で光射出口４６を形成して説明したが、本発明は、これに限らず、射出面に千鳥状に光射出口を設けてもよく、このときには、光射出口ごとに光ビームの光路長を設定すればよい。
【００６３】
さらに、以上説明した本実施の形態では、電子写真プロセスを適用して画像を形成する画像形成装置１０を例に説明したが、本発明はこれに限らず、レーザービームなどの光ビームを走査しながら照射することにより、記録媒体に画像を形成する任意の構成の画像形成装置に適用することができる。
【符号の説明】
【００６４】
１０    画像形成装置
１４    書込み信号生成部
１６    画像書込み部
１８    射出ヘッド
２０    光走査部
２２    感光ドラム
３２    画像処理回路
３４    レーザ駆動回路
３６    ビーム光源部
３８（３８Ａ（３８Ａ１〜３８Ａ８）〜３８Ｄ（３８Ｄ１〜３８Ｄ８））    発光素子
４０（４０Ａ（４０Ａ１〜４０Ａ８）〜４０Ｄ（４０Ｄ１〜４０Ｄ８））    光ファイバー
４２    光導波素子
４６（４６Ａ（４６Ａ１〜４６Ａ８）〜４６Ｄ（４６Ｄ１〜４６Ｄ８））    光射出口
５２    光遅延回路
５４    個別遅延回路
５６（５６Ａ〜５６Ｃ）    遅延回路
５８    Ｆ−Ｆ素子
６０（６０Ａ〜６０Ｃ）    スイッチ素子
【図１】
2010211009.tif 000003
【図２】
2010211009.tif 000004
【図３】
2010211009.tif 000005
【図４】
2010211009.tif 000006